【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
双方向メディアガイダンスアプリケーションによって維持されるユーザプロファイルデータを利用する方法であって、
テレビ番組と関連付けられたユーザプロファイルデータにアクセスすることと、
ユーザ入力を受信することであって、該ユーザ入力は、テレビ番組と関連付けられたフレンドリプロファイルデータを備える、１つ以上のフレンドリプロファイルを検索するためのコマンドと関連付けられている、ことと、
該ユーザプロファイルデータと関連付けられた検索基準を生成することと、
該フレンドリプロファイルデータを格納するために使用される、少なくとも１つの記憶装置にアクセスすることと、
該検索基準と一致するフレンドリプロファイルデータを求めて該少なくとも１つの記憶装置を検索することと、
該検索基準と一致するフレンドリプロファイルデータを備える少なくとも１つのフレンドリプロファイルを含む、検索結果を生成することと、
該検索結果を該ユーザに表示することと
を含む、方法。
【請求項２】
前記少なくとも１つの記憶装置にアクセスすることは、
ユーザテレビ機器から該少なくとも１つの記憶装置に前記ユーザプロファイルデータをアップロードすることをさらに含み、該ユーザテレビ機器上に実装される前記双方向メディアガイダンスアプリケーションは、遠隔サーバへの該ユーザプロファイルデータのアップロードを促進する、請求項１に記載の方法。
【請求項３】
前記少なくとも１つの記憶装置を検索することは、
第１の記憶装置上に格納される一致データがないことを決定することと、
該決定に応答して、追加フレンドリプロファイルデータを格納するために使用される第２の記憶装置にアクセスすることと
をさらに含む、請求項１に記載の方法。
【請求項４】
前記検索基準は、気分と関連付けられたデータを含む、請求項１に記載の方法。
【請求項５】
第１のフレンドリプロファイルをフレンド一覧と関連付けることであって、該第１のフレンドリプロファイルは、前記検索結果内に含まれる、ことと、
該第１のフレンドリプロファイルと関連付けられたフレンドリプロファイルデータに基づいて、テレビ番組の視聴推奨を提供することと
をさらに含む、請求項１に記載の方法。
【請求項６】
前記ユーザの異なるテレビ番組の視聴に応答して、前記ユーザプロファイルデータを自動的に更新することと、
該異なるテレビ番組と関連付けられた該ユーザプロファイルデータにアクセスすることと、
該更新されたユーザプロファイルデータと関連付けられた新しい検索基準を生成することと
をさらに含む、請求項１に記載の方法。
【請求項７】
第１のプロファイルが、前記新しい検索基準と一致するかどうかを決定することと、
該新しい検索基準と一致しないことを決定することに応答して、該第１のプロファイルの、フレンド一覧との前記関連付けを削除することと、
該新しい検索基準と一致することを決定することに応答して、該第１のプロファイルを該フレンド一覧と関連付けることと
をさらに含む、請求項６に記載の方法。
【請求項８】
前記検索結果内に含まれる前記少なくとも１つのフレンドリプロファイルは、前記ユーザプロファイルが危険であると指定する追加データと関連付けられていることを決定することと、
該決定に応答して、該少なくとも１つのフレンドリプロファイルをブロックすることであって、該少なくとも１つのフレンドリプロファイルをブロックすることは、該少なくとも１つのフレンドリプロファイルがフレンド一覧と関連付けられることを防止する、ことと
をさらに含む、請求項１に記載の方法。
【請求項９】
双方向メディアガイダンスアプリケーションによって維持されるユーザプロファイルデータを利用するシステムであって、
テレビ番組と関連付けられたユーザプロファイルデータにアクセスする手段と、
ユーザ入力を受信する手段であって、該ユーザ入力は、テレビ番組と関連付けられたフレンドリプロファイルデータを備える、１つ以上のフレンドリプロファイルを検索するためのコマンドと関連付けられている、手段と、
該ユーザプロファイルデータと関連付けられた検索基準を生成する手段と、
該フレンドリプロファイルデータを格納するために使用される、少なくとも１つの記憶装置にアクセスする手段と、
該検索基準と一致するフレンドリプロファイルデータを求めて該少なくとも１つの記憶装置を検索する手段と、
該検索基準と一致するフレンドリプロファイルデータを備える少なくとも１つのフレンドリプロファイルを含む、検索結果を生成する手段と、
該検索結果を該ユーザに表示する手段と
を備える、システム。
【請求項１０】
前記少なくとも１つの記憶装置にアクセスする手段は、
ユーザテレビ機器から該少なくとも１つの記憶装置に前記ユーザプロファイルデータをアップロードする手段をさらに備え、該ユーザテレビ機器上に実装される前記双方向メディアガイダンスアプリケーションは、遠隔サーバへの該ユーザプロファイルデータのアップロードを促進する、請求項９に記載のシステム。
【請求項１１】
前記少なくとも１つの記憶装置を検索する手段は、
第１の記憶装置上に格納される一致データがないことを決定する手段と、
該決定に応答して、追加フレンドリプロファイルデータを格納するために使用される第２の記憶装置にアクセスする手段と
をさらに備える、請求項９に記載のシステム。
【請求項１２】
前記検索基準は、気分と関連付けられたデータを含む、請求項９に記載のシステム。
【請求項１３】
第１のフレンドリプロファイルをフレンド一覧と関連付ける手段であって、該第１のフレンドリプロファイルは、前記検索結果内に含まれる、手段と、
該第１のフレンドリプロファイルと関連付けられたフレンドリプロファイルデータに基づいて、テレビ番組の視聴推奨を提供する手段と
をさらに備える、請求項９に記載のシステム。
【請求項１４】
前記ユーザの異なるテレビ番組の視聴に応答して、前記ユーザプロファイルデータを自動的に更新する手段と、
該異なるテレビ番組と関連付けられた該ユーザプロファイルデータにアクセスする手段と、
該更新されたユーザプロファイルデータと関連付けられた新しい検索基準を生成する手段と
をさらに備える、請求項９に記載のシステム。
【請求項１５】
第１のプロファイルが前記新しい検索基準と一致するか否かを決定する手段と、
該第１のフレンドリプロファイルが該新しい検索基準と一致しないことを決定することに応答して、該第１のプロファイルのフレンド一覧との前記関連付けを削除する手段と、
該第１のフレンドリプロファイルが該新しい検索基準と一致することを決定することに応答して、該第１のプロファイルを該フレンド一覧と関連付ける手段と
をさらに備える、請求項１４に記載のシステム。
【請求項１６】
前記検索結果内に含まれる前記少なくとも１つのフレンドリプロファイルは、前記ユーザプロファイルが危険であると指定する追加データと関連付けられていることを決定する手段と、
該決定に応答して、該少なくとも１つのフレンドリプロファイルをブロックする手段であって、該少なくとも１つのフレンドリプロファイルをブロックする手段は、該少なくとも１つのフレンドリプロファイルがフレンド一覧と関連付けられることを防止する、手段と
をさらに備える、請求項９に記載のシステム。
【手続補正２】
【補正対象書類名】明細書
【補正対象項目名】００１３
【補正方法】変更
【補正の内容】
【００１３】
ユーザ機器およびフレンドリ機器は、表示画面およびプロセッサを含んでもよい。プロセッサは、ユーザデータおよび／またはフレンドリデータに基づいて、情報を生成ならびに表示してもよい。いくつかの実施形態では、ユーザ情報およびフレンドリ情報は、同時に表示可能である。情報は、一覧、モジュール等として表示され、任意の数の方法（例えば、テーマ、気分、ユーザ／フレンド定義基準等別）でグループ化／順序化されてもよい。加えて、ユーザ機器は、フレンドリ機器がフレンドにユーザデータを修正させることを可能とするように、ユーザにフレンドリデータを修正することを可能にしてもよい。これらの修正は、ユーザデータへのフレンドリデータの追加およびその逆を含んでもよい。
例えば、本発明は以下の項目を提供する。
（項目１）
双方向メディアガイダンスアプリケーションによって維持されるユーザプロファイルデータを利用する方法であって、
テレビ番組と関連付けられたユーザプロファイルデータにアクセスすることと、
ユーザ入力を受信することであって、該ユーザ入力は、テレビ番組と関連付けられたフレンドリプロファイルデータを備える、１つ以上のフレンドリプロファイルを検索するためのコマンドと関連付けられている、ことと、
該ユーザプロファイルデータと関連付けられた検索基準を生成することと、
該フレンドリプロファイルデータを格納するために使用される、少なくとも１つの記憶装置にアクセスすることと、
該検索基準と一致するフレンドリプロファイルデータを求めて該少なくとも１つの記憶装置を検索することと、
該検索基準と一致するフレンドリプロファイルデータを備える少なくとも１つのフレンドリプロファイルを含む、検索結果を生成することと、
該検索結果を該ユーザに表示することと
を含む、方法。
（項目２）
上記少なくとも１つの記憶装置にアクセスすることは、
ユーザテレビ機器から該少なくとも１つの記憶装置に上記ユーザプロファイルデータをアップロードすることをさらに含み、該ユーザテレビ機器上に実装される上記双方向メディアガイダンスアプリケーションは、遠隔サーバへの該ユーザプロファイルデータのアップロードを促進する、項目１に記載の方法。
（項目３）
上記少なくとも１つの記憶装置を検索することは、
第１の記憶装置上に格納される一致データがないことを決定することと、
該決定に応答して、追加フレンドリプロファイルデータを格納するために使用される第２の記憶装置にアクセスすることと
をさらに含む、項目１に記載の方法。
（項目４）
上記検索基準は、気分と関連付けられたデータを含む、項目１に記載の方法。
（項目５）
上記フレンドリプロファイルデータは、１人以上のフレンドが以前に視聴したテレビ番組と関連付けられたデータを含む、項目１に記載の方法。
（項目６）
第１のフレンドリプロファイルをフレンド一覧と関連付けることをさらに含み、該第１のフレンドリプロファイルは、上記検索結果内に含まれる、項目１に記載の方法。
（項目７）
上記第１のフレンドリプロファイルと関連付けられたフレンドリプロファイルデータに基づいて、テレビ番組の視聴推奨を提供することをさらに含む、項目６に記載の方法。
（項目８）
上記ユーザの異なるテレビ番組の視聴に応答して、上記ユーザプロファイルデータを自動的に更新することと、
該異なるテレビ番組と関連付けられた該ユーザプロファイルデータにアクセスすることと、
該更新されたユーザプロファイルデータと関連付けられた新しい検索基準を生成することと
をさらに含む、項目１に記載の方法。
（項目９）
第１のフレンドリプロファイルが、上記新しい検索基準と一致しないことを決定することと、
該決定に応答して該第１のフレンドリプロファイルの、フレンド一覧との上記関連付けを削除することと
をさらに含む、項目８に記載の方法。
（項目１０）
新しいフレンドリプロファイルが、上記新しい検索基準と一致することを決定することと、
該新しいフレンドリプロファイルをフレンド一覧と関連付けることと
をさらに含む、項目８に記載の方法。
（項目１１）
上記検索結果内に含まれる上記少なくとも１つのフレンドリプロファイルは、上記ユーザプロファイルが危険であると指定する追加データと関連付けられていることを決定することと、
該決定に応答して、該少なくとも１つのフレンドリプロファイルをブロックすることであって、該少なくとも１つのフレンドリプロファイルをブロックすることは、該少なくとも１つのフレンドリプロファイルがフレンド一覧と関連付けられることを防止する、ことと
をさらに備える、項目１に記載の方法。
（項目１２）
双方向メディアガイダンスアプリケーションによって維持されるユーザプロファイルデータを利用するシステムであって、
ユーザプロファイルデータを格納する、ユーザ記憶装置と、
テレビ番組と関連付けられたフレンドリプロファイルデータを格納する、第２の記憶装置と、
ユーザメディアガイダンスアプリケーションが実装されるユーザ機器であって、該ユーザメディアガイダンスアプリケーションは、
テレビ番組と関連付けられたユーザプロファイルデータにアクセスし、
該フレンドリプロファイルデータに基づく、１つ以上のフレンドリプロファイルを検索するためのコマンドと関連付けられている、ユーザ入力を受信し、
該ユーザプロファイルデータと関連付けられた検索基準を生成し、
該検索基準と一致するフレンドリプロファイルデータを要求し、
該フレンドリプロファイルデータを該第２の記憶装置から受信し、
該検索基準と一致するフレンドリプロファイルデータを備える少なくとも１つのフレンドリプロファイルを含む、検索結果を生成する、
ように構成される、ユーザ機器と、
該検索結果を該ユーザに表示する、表示画面と
を備える、システム。
（項目１３）
上記フレンドリプロファイルデータの要求は、
上記ユーザ機器から上記１つ以上のフレンドリプロファイルへのアクセスを有するサーバに上記ユーザプロファイルデータをアップロードすることをさらに備える、項目１２に記載のシステム。
（項目１４）
フレンドリメディアガイダンスアプリケーションが実装される、フレンドリ機器をさらに備え、該フレンドリメディアガイダンスアプリケーションは、
上記第２の記憶装置から上記サーバに上記フレンドリプロファイルデータをアップロードするように構成される、項目１３に記載のシステム。
（項目１５）
上記第２の記憶装置は、上記ユーザ機器およびフレンドリ機器に電子的に連結される、サーバデータベースである、項目１２に記載のシステム。
（項目１６）
上記検索基準は、気分と関連付けられたデータを含む、項目１２に記載のシステム。
（項目１７）
上記フレンドリプロファイルデータは、１人以上のフレンドが以前に視聴したテレビ番組と関連付けられたデータを含む、項目１２に記載のシステム。
（項目１８）
上記ユーザメディアガイダンスアプリケーションは、
第１のフレンドリプロファイルをフレンド一覧と関連付けるようにさらに構成され、該第１のフレンドリプロファイルは、上記検索結果内に含まれる、項目１２に記載のシステム。
（項目１９）
上記ユーザメディアガイダンスアプリケーションは、
上記第１のフレンドリプロファイルと関連付けられたフレンドリプロファイルデータに基づいて、テレビ番組の視聴推奨を提供するようにさらに構成される、項目１８に記載の方法。
（項目２０）
上記ユーザメディアガイダンスアプリケーションは、
上記ユーザの異なるテレビ番組の視聴に応答して、上記ユーザプロファイルデータを自動的に更新し、
該更新されたユーザプロファイルデータと関連付けられた新しい検索基準を生成する、
ようにさらに構成される、項目１２に記載のシステム。
（項目２１）
上記ユーザメディアガイダンスアプリケーションは、
第１のフレンドリプロファイルが、上記新しい検索基準と一致しないことを決定し、
該決定に応答して、該第１のフレンドリプロファイルのフレンド一覧との上記関連付けを削除する、
ようにさらに構成される、項目２０に記載のシステム。
（項目２２）
上記ユーザメディアガイダンスアプリケーションは、
新しいフレンドリプロファイルが、上記新しい検索基準と一致することを決定し、
該新しいフレンドリプロファイルをフレンド一覧と関連付ける、
ようにさらに構成される、項目２０に記載のシステム。
（項目２３）
上記ユーザメディアガイダンスアプリケーションは、
上記検索結果内に含まれる上記少なくとも１つのフレンドリプロファイルが、上記ユーザプロファイルが危険であると指定する追加データと関連付けられていることを決定し、
該決定に応答して、該少なくとも１つのフレンドリプロファイルをブロックし、該少なくとも１つのフレンドリプロファイルがフレンド一覧と関連付けられることを防止する、
ようにさらに構成される、項目１２に記載のシステム。
（項目２４）
双方向メディアガイダンスアプリケーションによって維持されるユーザプロファイルデータを利用するシステムであって、
テレビ番組と関連付けられたユーザプロファイルデータにアクセスする手段と、
ユーザ入力を受信する手段であって、該ユーザ入力は、テレビ番組と関連付けられたフレンドリプロファイルデータを備える、１つ以上のフレンドリプロファイルを検索するためのコマンドと関連付けられている、手段と、
該ユーザプロファイルデータと関連付けられた検索基準を生成する手段と、
該フレンドリプロファイルデータを格納するために使用される、少なくとも１つの記憶装置にアクセスする手段と、
該検索基準と一致するフレンドリプロファイルデータを求めて該少なくとも１つの記憶装置を検索する手段と、
該検索基準と一致するフレンドリプロファイルデータを備える少なくとも１つのフレンドリプロファイルを含む、検索結果を生成する手段と、
該検索結果を該ユーザに表示する手段と
を備える、システム。
（項目２５）
上記少なくとも１つの記憶装置にアクセスする手段は、
ユーザテレビ機器から該少なくとも１つの記憶装置に上記ユーザプロファイルデータをアップロードする手段をさらに備え、該ユーザテレビ機器上に実装される上記双方向メディアガイダンスアプリケーションは、遠隔サーバへの該ユーザプロファイルデータのアップロードを促進する、項目２４に記載のシステム。
（項目２６）
上記少なくとも１つの記憶装置を検索する手段は、
第１の記憶装置上に格納される一致データがないことを決定する手段と、
該決定に応答して、追加フレンドリプロファイルデータを格納するために使用される第２の記憶装置にアクセスする手段と
をさらに備える、項目２４に記載のシステム。
（項目２７）
上記検索基準は、気分と関連付けられたデータを含む、項目２４に記載のシステム。
（項目２８）
上記フレンドリプロファイルデータは、１人以上のフレンドが以前に視聴したテレビ番組と関連付けられたデータを含む、項目２４に記載のシステム。
（項目２９）
第１のフレンドリプロファイルをフレンド一覧と関連付ける手段をさらに備え、該第１のフレンドリプロファイルは、上記検索結果内に含まれる、項目２４に記載のシステム。
（項目３０）
上記第１のフレンドリプロファイルと関連付けられたフレンドリプロファイルデータに基づいて、テレビ番組の視聴推奨を提供する手段をさらに備える、項目２９に記載のシステム。
（項目３１）
上記ユーザの異なるテレビ番組の視聴に応答して、上記ユーザプロファイルデータを自動的に更新する手段と、
該異なるテレビ番組と関連付けられた該ユーザプロファイルデータにアクセスする手段と、
該更新されたユーザプロファイルデータと関連付けられた新しい検索基準を生成する手段と
をさらに備える、項目２４に記載のシステム。
（項目３２）
第１のフレンドリプロファイルが、上記新しい検索基準と一致しないことを決定する手段と、
該決定に応答して、該第１のフレンドリプロファイルのフレンド一覧との上記関連付けを削除する手段と
をさらに備える、項目３１に記載のシステム。
（項目３３）
新しいフレンドリプロファイルが、上記新しい検索基準と一致することを決定する手段と、
該新しいフレンドリプロファイルをフレンド一覧と関連付ける手段と
をさらに備える、項目３１に記載のシステム。
（項目３４）
上記検索結果内に含まれる上記少なくとも１つのフレンドリプロファイルは、上記ユーザプロファイルが危険であると指定する追加データと関連付けられていることを決定する手段と、
該決定に応答して、該少なくとも１つのフレンドリプロファイルをブロックする手段であって、該少なくとも１つのフレンドリプロファイルをブロックする手段は、該少なくとも１つのフレンドリプロファイルがフレンド一覧と関連付けられることを防止する、手段と
をさらに備える、項目２４に記載のシステム。
（項目３５）
双方向メディアガイダンスアプリケーションによって維持されるユーザプロファイルデータを利用する方法であって、
テレビ番組データを備えるユーザプロファイルを維持することと、
該ユーザプロファイルと関連付けられた認証データを生成することと、
該認証データと一致するフレンドによって入力されたデータの受信に応答して、該フレンドのインターネット接続を介した該ユーザプロファイルへのアクセスを可能にすることと、
該ユーザプロファイルを該フレンドに表示することと、
該フレンドによる該ユーザプロファイルを修正する要望指示に応答して、メディアガイダンスアプリケーション修正コマンドを生成することと、
該メディアガイダンスアプリケーション修正コマンドに応答して、該ユーザプロファイルを修正することと、
該ユーザプロファイルの該修正に応答して、システムコマンドを生成することと、
ユーザテレビ機器を使用して、該システムコマンドを実行することと
を含む、方法。
（項目３６）
上記システムコマンドは、録画コマンドであって、
上記ユーザテレビ機器を使用して、該システムコマンドを実行することは、該ユーザテレビ機器によって録画される番組を予約することをさらに含む、項目３５に記載の方法。
（項目３７）
上記システムコマンドは、連続録画コマンドであって、
上記ユーザテレビ機器を使用して、該システムコマンドを実行することは、該ユーザテレビ機器によって録画される連続番組を予約することをさらに含む、項目３５に記載の方法。
（項目３８）
上記システムコマンドは、リマインダコマンドであって、
上記ユーザテレビ機器を使用して、該システムコマンドを実行することは、該ユーザテレビ機器によって表示される番組リマインダを予約することをさらに含む、項目３５に記載の方法。
（項目３９）
上記システムコマンドは、削除コマンドであって、
上記ユーザテレビ機器を使用して、該システムコマンドを実行することは、該ユーザテレビ機器からデータを削除することをさらに含む、項目３５に記載の方法。
（項目４０）
上記ユーザプロファイルをフレンドに表示することは、
該ユーザプロファイルと関連付けられたユーザ情報と、フレンドリプロファイルと関連付けられたフレンドリ情報とを同時に表示することと、
該フレンドが該フレンドリ情報の少なくとも一部を該ユーザプロファイルと関連付けることを可能にすることと、
該フレンドリ情報の該少なくとも一部の該ユーザプロファイルとの該フレンドによる関連付けを承認する要望のユーザ指示を受信することと、
該ユーザ指示の受信に応答して、該フレンドリ情報の該少なくとも一部と関連付けられる該ユーザプロファイルを修正することと
をさらに含む、項目３５に記載の方法。
（項目４１）
上記システムコマンドは、推奨コマンドであって、
上記ユーザテレビ機器を使用して、該システムコマンドを実行することは、該推奨コマンドと関連付けられた番組名を含む一覧を表示することをさらに含む、項目３５に記載の方法。
（項目４２）
複数の一覧を表示することをさらに含み、該複数の一覧の各々は、異なるフレンドの推奨と関連付けられる、項目４１に記載の方法。
（項目４３）
複数の一覧を表示することをさらに含み、該複数の一覧の各々は、異なる種類の推奨と関連付けられる、項目４１に記載の方法。
（項目４４）
双方向メディアガイダンスアプリケーションによって維持されるユーザプロファイルデータを利用する方法であって、
ユーザプロファイルを自動的に維持することであって、該ユーザプロファイルは、ユーザテレビ機器上に実装される双方向テレビ番組ガイドアプリケーションによって維持される、ことと、
該ユーザプロファイルがインターネットを介してアクセスされることを可能にする遠隔データベースに、該ユーザプロファイルをアップロードすることと、
フレンドに該ユーザプロファイルへのアクセスを付与することと、
該フレンドに該ユーザプロファイルと関連付けられた一覧へのデータ投入を許可することと、
該一覧を該遠隔データベースに格納することと、
該一覧の格納に応答して、該一覧を該ユーザテレビ機器に自動的にダウンロードすることと、
該一覧のダウンロードに応答して、該一覧に基づいて、該ユーザプロファイルを自動的に更新することであって、該ユーザプロファイルは、該ユーザテレビ機器上に実装される該双方向テレビ番組ガイドによって維持される、ことと
を含む、方法。
（項目４５）
上記一覧と関連付けられた少なくとも１つの番組を格納することをさらに含み、該少なくとも１つの番組は、該一覧と関連付けられている該少なくとも１つの番組に応答して格納される、項目４４に記載の方法。
（項目４６）
１つ以上の双方向メディアガイダンスアプリケーションによって維持されるユーザプロファイルデータを利用するシステムであって、
ユーザテレビ番組と関連付けられたユーザプロファイルデータを格納するユーザ記憶装置を備える、ユーザテレビ機器であって、
ユーザメディアガイダンスアプリケーションは、該ユーザテレビ機器上に実装され、
該ユーザメディアガイダンスアプリケーションは、
該ユーザプロファイルデータを維持し、
該ユーザプロファイルデータと関連付けられた認証データを生成し、
該ユーザプロファイルデータをサーバにアップロードし、
該サーバからの修正コマンドの受信に応答して、システムコマンドを生成し、
該ユーザテレビ機器を使用して、該システムコマンドを実行する、
ように構成される、ユーザテレビ機器と、
フレンドリテレビ番組と関連付けられているフレンドリプロファイルデータを格納するフレンドリ記憶装置を備える、フレンドリ機器であって、
フレンドリメディアガイダンスアプリケーションは、該フレンドリ機器上に実装され、
該フレンドリメディアガイダンスアプリケーションは、
該フレンドリプロファイルデータを維持し、
該フレンドリプロファイルデータを該サーバにアップロードし、
該ユーザデータを該サーバから受信し、
該フレンドによる該ユーザプロファイルデータを修正する要望指示に応答して、該修正コマンドを生成し、
該修正コマンドを該サーバに提供する、
ように構成される、フレンドリ機器と、
該ユーザテレビ機器および該フレンドリ機器に電気的に連結されるサーバであって、該サーバは、
該ユーザプロファイルデータおよび該フレンドリプロファイルデータを受信し、
該ユーザプロファイルデータおよび該フレンドリプロファイルデータをデータベース上に格納し、
該ユーザプロファイルデータと関連付けられた該認証データに基づいて、該フレンドリ機器の該ユーザプロファイルデータへのアクセスを認証し、
該ユーザプロファイルデータを該フレンドリ機器に提供し、
該修正コマンドを該フレンドリ機器から受信する、
ように構成される、サーバと
を備える、システム。
（項目４７）
上記システムコマンドは、録画コマンドであって、
該システムコマンドに応答して、上記ユーザメディアガイダンスアプリケーションは、上記ユーザテレビ機器によって録画される番組を予約するようにさらに構成される、項目４６に記載のシステム。
（項目４８）
上記システムコマンドは、連続録画コマンドであって、
該システムコマンドに応答して、上記ユーザメディアガイダンスアプリケーションは、上記ユーザテレビ機器によって録画される連続番組を予約するようにさらに構成される、項目４６に記載のシステム。
（項目４９）
上記システムコマンドは、リマインダコマンドであって、
該システムコマンドに応答して、上記ユーザメディアガイダンスアプリケーションは、上記ユーザテレビ機器によって表示される番組リマインダを予約するようにさらに構成される、項目４６に記載のシステム。
（項目５０）
上記システムコマンドは、削除コマンドであって、
該システムコマンドに応答して、上記ユーザメディアガイダンスアプリケーションは、上記ユーザテレビ機器からデータを削除するようにさらに構成される、項目４６に記載のシステム。
（項目５１）
上記フレンドリメディアガイダンスアプリケーションは、
上記ユーザプロファイルデータに基づくユーザ情報と、上記フレンドリプロファイルデータに基づくフレンドリ情報を表示画面に同時に表示し、
上記フレンドが該フレンドリ情報の少なくとも一部を該ユーザプロファイルデータと関連付けることを可能にするようにさらに構成され、
上記ユーザメディアガイダンスアプリケーションは、
該フレンドリ情報の該少なくとも一部の該ユーザプロファイルデータとの該フレンドによる関連付けを承認する要望のユーザ指示を受信し、
該ユーザ指示の受信に応答して、該フレンドリ情報の該少なくとも一部を含むために該ユーザプロファイルデータを修正するようにさらに構成される、
項目４６に記載のシステム。
（項目５２）
上記システムコマンドは、推奨コマンドであって、
該システムコマンドに応答して、上記ユーザメディアガイダンスアプリケーションは、該推奨コマンドと関連付けられた番組名を含む一覧を表示するようにさらに構成される、項目４６に記載のシステム。
（項目５３）
上記ユーザメディアガイダンスアプリケーションは、
複数の一覧を表示するようにさらに構成され、該複数の一覧の各々は、異なるフレンドの推奨と関連付けられる、項目５２に記載のシステム。
（項目５４）
上記ユーザメディアガイダンスアプリケーションは、
複数の一覧を表示するようにさらに構成され、該複数の一覧の各々は、異なる種類の推奨と関連付けられる、項目５２に記載のシステム。
（項目５５）
１つ以上の双方向メディアガイダンスアプリケーションによって維持されるユーザプロファイルデータを利用するシステムであって、
ユーザテレビ番組と関連付けられたユーザプロファイルデータを格納するユーザ記憶装置を備える、ユーザテレビ機器であって、
ユーザメディアガイダンスアプリケーションは、該ユーザテレビ機器上に実装され、
該ユーザメディアガイダンスアプリケーションは、
ユーザプロファイルを自動的に維持し、
該ユーザプロファイルがインターネットを介してアクセスされることを可能にする遠隔データベースに該ユーザプロファイルをアップロードし、
フレンドに該ユーザプロファイルへのアクセスを付与し、
該フレンドに該ユーザプロファイルと関連付けられた一覧へのデータ投入を許可し、
該一覧を該遠隔データベースから受信し、
該一覧の受信に応答して、該一覧に基づいて、該ユーザプロファイルを自動的に更新する、
ように構成される、ユーザテレビ機器を備える、システム。
（項目５６）
上記ユーザメディアガイダンスアプリケーションは、上記一覧と関連付けられた少なくとも１つの番組を格納するようにさらに構成される、項目５５に記載のシステム。
（項目５７）
双方向メディアガイダンスアプリケーションによって維持されるユーザプロファイルデータを利用するシステムであって、
テレビ番組データを備えるユーザプロファイルを維持する手段と、
該ユーザプロファイルと関連付けられた認証データを生成する手段と、
該認証データと一致するフレンドによって入力されたデータの受信に応答して、該フレンドがインターネット接続を介して該ユーザプロファイルにアクセスすることを可能にする手段と、
該ユーザプロファイルを該フレンドに表示する手段と、
該フレンドによる該ユーザプロファイルを修正する要望指示に応答して、メディアガイダンスアプリケーション修正コマンドを生成する手段と、
該メディアガイダンスアプリケーション修正コマンドに応答して、該ユーザプロファイルを修正する手段と、
該ユーザプロファイルの該修正に応答して、システムコマンドを生成する手段と、
ユーザテレビ機器を使用して、該システムコマンドを実行する手段と
を備える、システム。
（項目５８）
上記システムコマンドは、録画コマンドであって、
上記ユーザテレビ機器を使用して、該システムコマンドを実行する手段は、該ユーザテレビ機器によって録画される番組を予約する手段をさらに備える、項目５７に記載のシステム。
（項目５９）
上記システムコマンドは、連続録画コマンドであって、
上記ユーザテレビ機器を使用して、該システムコマンドを実行する手段は、該ユーザテレビ機器によって録画される連続番組を予約する手段をさらに備える、項目５７に記載のシステム。
（項目６０）
上記システムコマンドは、リマインダコマンドであって、
上記ユーザテレビ機器を使用して、該システムコマンドを実行する手段は、該ユーザテレビ機器によって表示される番組リマインダを予約する手段をさらに備える、項目５７に記載のシステム。
（項目６１）
上記システムコマンドは、削除コマンドであって、
上記ユーザテレビ機器を使用して、該システムコマンドを実行する手段は、該ユーザテレビ機器からデータを削除する手段をさらに備える、項目５７に記載のシステム。
（項目６２）
上記ユーザプロファイルをフレンドに表示する手段は、
該ユーザプロファイルと関連付けられたユーザ情報と、フレンドリプロファイルと関連付けられたフレンドリ情報とを同時に表示する手段と、
該フレンドが該フレンドリ情報の少なくとも一部を該ユーザプロファイルと関連付けることを可能にする手段と、
該フレンドリ情報の該少なくとも一部の該ユーザプロファイルとの該フレンドによる関連付けを承認する要望のユーザ指示を受信する手段と、
該ユーザ指示の受信に応答して、該フレンドリ情報の該少なくとも一部と関連付けられる該ユーザプロファイルを修正する手段と
をさらに備える、項目５７に記載のシステム。
（項目６３）
上記システムコマンドは、推奨コマンドであって、
上記ユーザテレビ機器を使用して、該システムコマンドを実行する手段は、該推奨コマンドと関連付けられた番組名を含む一覧を表示する手段をさらに備える、項目５７に記載のシステム。
（項目６４）
複数の一覧を表示する手段をさらに備え、該複数の一覧の各々は、異なるフレンドの推奨と関連付けられる、項目６３に記載のシステム。
（項目６５）
複数の一覧を表示する手段をさらに備え、該複数の一覧の各々は、異なる種類の推奨と関連付けられる、項目６３に記載のシステム。
（項目６６）
双方向メディアガイダンスアプリケーションによって維持されるユーザプロファイルデータを利用するシステムであって、
ユーザプロファイルを自動的に維持する手段であって、該ユーザプロファイルは、ユーザテレビ機器上に実装される双方向テレビ番組ガイドアプリケーションによって維持される、手段と、
該ユーザプロファイルがインターネットを介してアクセスされることを可能にする遠隔データベースに該ユーザプロファイルをアップロードする手段と、
フレンドに該ユーザプロファイルへのアクセスを付与する手段と、
該フレンドに該ユーザプロファイルと関連付けられた一覧へのデータ投入を許可する手段と、
該一覧を該遠隔データベースに格納する手段と、
該一覧の格納に応答して、該一覧を該ユーザテレビ機器に自動的にダウンロードする手段と、
該一覧のダウンロードに応答して、該一覧に基づいて、該ユーザプロファイルを自動的に更新する手段であって、該ユーザプロファイルは、該ユーザテレビ機器上に実装される該双方向テレビ番組ガイドによって維持される、手段と
を備える、システム。
（項目６７）
上記一覧と関連付けられた少なくとも１つの番組を格納する手段をさらに備え、該少なくとも１つの番組は、該一覧と関連付けられている該少なくとも１つの番組に応答して格納される、項目６６に記載のシステム。